(57)【要約】      （修正有）【課題】ロール状の印刷媒体の品質を良好に保つことが出来、かつ設置可能なロール状の印刷媒体の直径を大きくすることが出来るプリンタ装置を提供する。【解決手段】プリンタ筐体と、この筐体内部に、前記筐体から引き出し可能に収納され、ロール状に巻回された用紙１１を載置する引き出し部１２と、前記用紙１１に所定の印字を行う印字部２１と、所定の印字が完了した前記用紙１１を切断するカッタ部２４と、前記引き出し部１２の前記筐体への押し込みに伴い、前記用紙１１を前記引き出し部１２底面から離間させる用紙離間機構２９、３３をプリンタ装置１０に設けた。【選択図】図１
2014166705.tif 000002
【特許請求の範囲】
【請求項１】
プリンタ筐体と、
この筐体内部に、前記筐体から引き出し可能に収納され、ロール状に巻回された用紙を載置する引き出し部と、
前記用紙に所定の印字を行う印字部と、
所定の印字が完了した前記用紙を切断するカッタ部と、
前記引き出し部の前記筐体への押し込みに伴い、前記用紙を前記引き出し部底面から離間させる用紙離間機構
を有したプリンタ装置。
【請求項２】
前記用紙離間機構は、前記引き出し部に設けられ、前記用紙を載置するホッパを回動させる請求項１記載のプリンタ装置。
【請求項３】
前記印字部および前記カッタ部を前記筐体と前記引き出し部に分離して設けた請求項１または請求項２記載のプリンタ装置。
【発明の詳細な説明】
【技術分野】
【０００１】
本発明の実施態様は、用紙に印字をおこない発行するプリンタ装置に関する。
【背景技術】
【０００２】
レシート等の発行装置として用いられるプリンタ装置では、ロール状に巻回されたロール紙から引き出された長尺状の用紙に所定事項を印刷した後、所定長の長さの紙片に切断して排出を行っている。
【０００３】
プリンタ装置は、その設置場所に制約がある場合があり、プリンタ装置後方やプリンタ装置上方からロール紙を装填出来ない場合がある。その場合はプリンタ装置に箱状の引き出し部を設け、この引き出し部の内部にロール紙を装填する形状が知られている。
【０００４】
ロール紙の下端が引き出し部の底面と接触するようにロール紙を設置すると、例えば以下の問題が生ずる。第１に、ロール紙の回転によって、ロール紙の下端と引き出し部の底面との間に摩擦によって熱が発生し、この摩擦熱によってロール紙が感熱して黒ずむ。第２に、ロール紙の下端と引き出し部の底面との摩擦によって、ロール紙に傷が生ずる。すなわち、ロール紙の下端が引き出し部の底面と接触するようにロール紙を設置すると、ロール紙の品質を良好に保つことは困難である。
【０００５】
ロール紙の品質を良好に保つために、従来の印刷装置において、ロール紙の下端が引き出し部の底面から上方に離間するようにホッパが設置される。すなわち、従来の印刷装置において、ホッパは、ロール紙の下端が引き出し部の底面から上方に離間した位置に配置されるように設けられている。
【０００６】
しかし、この種の印刷装置において、引き出し部から上方にはみ出る程度の大きな直径のロール紙をホッパに配置すると、引き出し部を筐体内部に収納する際に、引き出し部から上方にはみ出したロール紙と筐体とが干渉する、という問題が生ずる。すなわち、従来の印刷装置においては、引き出し部から上方にはみ出さない程度の小さな直径のロール紙しかホッパに設置することができないため、ロール紙が早期に消費され、ロール紙の交換頻度が増す、という問題がある。
【先行技術文献】
【特許文献】
【０００７】
【特許文献１】特開２０１１−２５５６８１号公報
【発明の概要】
【発明が解決しようとする課題】
【０００８】
本発明の実施形態は、ロール状の印刷媒体の品質を良好に保つことが出来、かつ設置可能なロール状の印刷媒体の直径を大きくすることが出来るプリンタ装置を提供するものである。
【課題を解決するための手段】
【０００９】
上記課題を達成するために、プリンタ筐体と、この筐体内部に、前記筐体から引き出し可能に収納され、ロール状に巻回された用紙を載置する引き出し部と、前記用紙に所定の印字を行う印字部と、所定の印字が完了した前記用紙を切断するカッタ部と、前記引き出し部の前記筐体への押し込みに伴い、前記用紙を前記引き出し部底面から離間させる用紙離間機構をプリンタ装置に設けた。
【図面の簡単な説明】
【００１０】
【図１】本実施形態に係るプリンタ装置の要部構成図。
【図２】本実施形態に係るプリンタ装置への用紙装填時の要部構成図。
【図３】本実施形態に係るプリンタ装置の制御回路構成を説明するブロック図。
【発明を実施するための形態】
【００１１】
以下に、本発明の一実施形態に係るプリンタ装置を、図面を参照して詳細に説明する。
【００１２】
図１はプリンタ装置１０の要部構成を示している。なお、このプリンタ装置では、図の右側から左側に向けてロール状に巻回した用紙１１が搬送されるので、以下の説明においては、図中右側を上流側、左側を下流側とする。
【００１３】
プリンタ装置１０には上方が開口した箱形状の引き出し部であるドロワ１２が設けられており、そのドロワ１２内には上方が開口した形状のホッパ１３が設けられている。
【００１４】
ドロワ１２は、図示しないレール機構等に取り付けられており、プリンタ装置１０に対して図１に示すＡ方向およびＢ方向に移動可能となっている。
【００１５】
用紙１１はこのホッパ１３上に載置される事でプリンタ装置１０内に搭載保持され、その後Ａ方向に押す事で用紙１１はプリンタ装置１０にセットされる（図１）。
【００１６】
ホッパ１３は、後述する、用紙離間機構を有している。ドロワ１２を奥まで押し込んだ状態（図１）と引き出した状態（図２）とでは、ホッパ１３上の用紙１１の保持姿勢が異なるようになっている。
【００１７】
用紙１１の印字面１４には、加熱すると発色する感熱層が設けられている。
【００１８】
ダンパローラサポート長孔１８を有したダンパローラカム１７がホッパ１３の一端部に設けられており、またダンパローラ１５はその中心軸であるダンパローラ軸１６をダンパローラサポート長孔１８の中を移動可能に取り付けられている。
【００１９】
ダンパローラ１５の用紙搬送方向下流には、図示しないモータによって回転可能とされたプラテンローラ１９と、プラテンローラ１９に対して用紙１１を挟んでサーマル印字ヘッド２０とが対向配置されている。プラテンローラ１９とサーマル印字ヘッド２０とで、印字部２１を構成している。
【００２０】
サーマル印字ヘッド２０は、用紙１１が下流側に向け搬送される際、用紙１１の搬送に合わせ、用紙１１上に１行ずつ印字をするようになっている。
【００２１】
サーマル印字ヘッド２０は、プラテンローラ１９に押圧され、サーマル印字ヘッド２０とプラテンローラ１９との協働によって用紙１１を下流側に送るようになっている。
【００２２】
印字部２１の下流側には、カッタ２４が設けられている。カッタ２４は固定刃２２と可動刃２３とを有しており、カッタのスリット（図示せず）に挿入されてきた用紙１１を、固定刃２２に向けて可動刃２３を図示しないモータ駆動によりスライド移動することで切断する。
【００２３】
ここでカッタ２４は固定刃２２に向けて可動刃２３がスライド移動するいわゆるスライド式カッタで説明したが、これに限定されるものでなく、固定刃に対し可動刃が回転接触することで用紙を切断するいわゆるロータリー式カッタ等であってもよい。
【００２４】
カッタ２４の下流側には、図示しないモータによって回転可能とされたフィードローラ２５と、フィードローラ２５に対して用紙１１を挟んでアイドラローラ２６が対向配置されている。
【００２５】
フィードローラ２５の下流側には、排出口２７が設けられており、所定の印字が完了した用紙１１はカッタ２４にて切断される。その後フィードローラ２５とアイドラローラ２６との協働により、排出口２７よりプリンタ装置１０の外部へ排出される。
【００２６】
またプリンタ装置１０には、用紙１１の用紙切れ、用紙詰まり等のエラー状況やプリンタ装置１０の各種情報を表示する表示部２８が設けられている。
【００２７】
またホッパ回動機構として、ドロワストッパ２９、ドロワ長孔Ａ３０、ドロワ長孔Ｂ３１、ホッパローラ３２、ホッパ支持軸３３およびホッパ回転支持軸３４が設けられており、ドロワストッパ２９はプリンタ装置１０に、ドロワ長孔Ａ３０およびドロワ長孔Ｂ３１はドロワ１２に、ホッパローラ３２、ホッパ支持軸３３、ホッパ回転支持軸３４はホッパ１３にそれぞれ設けられている。
【００２８】
図３に、上述したプリンタ装置１０の制御部５０を示している。制御部５０は、用紙の搬送、印刷、用紙の排出、プリンタの状況表示の各制御をおこなう手段を有している。
【００２９】
制御部５０は、ホストコンピュータ５１との連係および各種の制御の実行をおこなう、例えば、マイクロコンピュータで構成されている。制御部５０の中央処理装置（ＭＰＵ）５２は、プログラムに従って用紙の搬送制御、印刷制御、用紙の排出制御、プリンタの状況表示制御等をおこなう。ＭＰＵ５２は、時間設定および時間制御をおこなう手段としてタイマ５３を備えている。
【００３０】
ＭＰＵ５２で実行する制御プログラムや制御または演算途上のデータ等を格納する主記憶手段としてＲＯＭ５４およびＲＡＭ５５が設置されている。ＲＯＭ５４は制御プログラム等を持つ読出し専用メモリであり、ＲＡＭ５５は演算途上のデータ等を格納する随時書込みメモリである。
【００３１】
また、制御部５０には、ホストコンピュータ５１からの各種の入力データの取込みや、ホストコンピュータ５１への制御部５０の制御出力の取出しをおこなう入出力ユニット（Ｉ／Ｏ）５６が設けられている。Ｉ／Ｏ５６は、ＭＰＵ５２、ＲＯＭ５４およびＲＡＭ５５とがバスを通じて連係されている。
【００３２】
また、Ｉ／Ｏ５６には、制御出力を取り出す為の手段として、第１、第２、第３および第４のドライバ５７、５８、５９、６０が接続されている。
【００３３】
ドライバ５７は印字部２１へ必要な駆動出力を供給する。ドライバ５８はカッタ２４に駆動出力を供給する。ドライバ５９はフィードローラ２５への駆動出力を供給する。ドライバ６０は表示部２８に、各種表示をおこなわせる表示駆動出力を供給する。
【００３４】
印字部２１は、図１に示す様に、サーマル印字ヘッド２０およびプラテンローラ１９を備えている。プラテンローラ１９は、ＭＰＵ５２の指令手段としての制御出力に基づき、図示しないモータにより印字動作と同期して回転駆動される。サーマル印字ヘッド２０は、ホストコンピュータ５１からの印字データに基づき用紙１１に印字をおこなう。
【００３５】
また制御部５０のＭＰＵ５２は、ドライバ５８を介して、カッタ２４を駆動し、印字が完了した用紙１１を切断する。
【００３６】
また制御部５０のＭＰＵ５２は、ドライバ５９を介して、フィードローラ２５を駆動し、用紙１１を排出口２７よりプリンタ装置１０の外部へ排出する。
【００３７】
また制御部５０のＭＰＵ５２は、ドライバ６０を介して、表示部２８に、プリンタ装置１０の各種情報を表示する。
【００３８】
次に、プリンタ装置１０の動作を説明する。制御部５０はＲＯＭ５４に記憶されているプログラムに則って用紙１１の搬送ならびに用紙１１への印字動作をおこなう。
【００３９】
まず、プリンタ装置１０を使用するオペレータは、プリンタ装置１０にロール状に巻回された用紙１１を装填する。
【００４０】
プリンタ装置１０にロール状に巻回された用紙１１を装填する際、オペレータは図１のＢ方向にドロワ１２を引く。図示しないストッパにてドロワ１２が動かない状態までＢ方向へ移動させ、その後巻回された用紙１１を図２に示す状態にて、ドロワ１２に設けられているホッパ１３の上に乗せる。
【００４１】
その後オペレータは用紙１１の先端部が排出口２７より下流側に出る程度まで巻回されている用紙１１を引き出す（図２）。
【００４２】
図２に示す、ホッパ１３の上に用紙１１を乗せた状態にてオペレータはドロワ１２をＡ方向へ押す。
【００４３】
図２の状態では、巻回された用紙１１はその印字面がホッパ１３に接触した状態となっている。この状態にてドロワ１２をＡ方向に押すと、ドロワストッパ２９とホッパ支持軸３３が当接する。ホッパ支持軸３３は用紙１１の装填時（図２）ではドロワ長孔Ｂ３１の右端にあるが、そのままＡ方向に押されると、ホッパ支持軸３３はドロワ長孔Ｂ３１の中を図２の左方向に移動する。
【００４４】
ホッパ支持軸３３がドロワ長孔Ｂ３１の左端まで移動すると、ホッパ１３はホッパ支持軸３３を中心に図１に示すＸ方向に回転を始める。
【００４５】
ホッパ１３は回転を始める前の状態においては、ドロワ長孔Ａ３０の左端の位置（図２）にあるがＸ方向の回転に伴いドロワ長孔Ａ３０の右端に向け移動する。
【００４６】
ホッパ１３はＸ方向に回転し、やがてホッパ回転支持軸３４がドロワ長孔Ａ３０の右端近傍まで移動すると図示しないストッパ機構にてホッパ１３の回転は停止する。
【００４７】
図１に示す状態が、用紙１１が装填され印字可能な状態である。なお図２に示す、用紙１１の装填開始状態では巻回された用紙１１はその印字面をホッパ１３に接触した状態となっていたが、ホッパ１３がＸ方向に回転するに伴い、ホッパ１３に複数設けてあるホッパローラ３２の上に乗り上げる。これにより用紙１１とドロワ１２の底面とは接触していない状態となる。
【００４８】
また、ホッパ１３の一端にはダンパローラカム１７が設けられており、ダンパローラカム１７にはダンパローラサポート長孔１８が設けられている。ダンパローラ１５のダンパローラ軸１６は、図示しないテンション付加機構により常時図１中のＹ方向にテンションが付加されている。
【００４９】
用紙１１は、ダンパローラ１５に架けられていない状況下である用紙装填時には、テンション付加機構によりダンパローラサポート長孔１８の一端側まで移動している（図２）。ホッパ１３が回動し、用紙１１がダンパローラ１５に架けられている状況下では（図１）、ダンパローラ１５は用紙１１により図１のＹ方向とは逆方向に移動している。これにより用紙１１は適正な張力で搬送される事となる。
【００５０】
この状態において、ホストコンピュータ５１からの印字データを受け、印字部２１のサーマル印字ヘッド２０を駆動させ用紙１１の印字面１４に所定の印字を行う。その後カッタ２４にて用紙１１を切断し、フィードローラ２５とアイドラローラ２６との協働により切断後の用紙１１を排出口２７よりプリンタ装置１０の外部へ排出する。
【００５１】
以上の様に、プリンタ装置１０に箱状の引き出し部であるドロワ１２を設け、そのドロワ１２に用紙離間機構を設け、ドロワ１２のプリンタ本体への押し込みに伴いロール状に巻回された用紙１１をドロワ１２の底面から上方に離間させることで、ロール状に巻回された用紙１１の回転による用紙１１の下端とドロワ１２の底面と間の摩擦による用紙が黒ずむのを防ぐと同時に、プリンタ装置１０に装填するロール状に巻回された用紙のサイズを大きくする事が可能となった。
【００５２】
また本実施の形態においては、ドロワ１２を引き出した状態において、ホッパ１３にサーマル印字ヘッド２０、カッタ２４の可動刃２３、アイドラローラ２６を設け、プリンタ装置１０にプラテンローラ１９、カッタ２４の固定刃２２、フィードローラ２５を設けたがこれに限定する必要はなく、印字部２１、カッタ２４をプリンタ装置１０とドロワ１２とに分離して設けず、プリンタ装置１０もしくはドロワ１２のいずれか一方側に設けても良い。その際はドロワ１２をプリンタ装置１０に押し込んだ状態にて、用紙１１の先端部を印字部２１まで導く機構を設ければ良い。
【００５３】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更をおこなうことができる。これらの実施形態やその変形は、発明の範囲や要旨に含まれると共に、特許請求の範囲に記載された発明とその均等の範囲に含まれる。
【符号の説明】
【００５４】
１０：プリンタ装置
１１：用紙
１２：ドロワ
１３：ホッパ 
１５：ダンパローラ 
１９：プラテンローラ 
２０：サーマル印字ヘッド
２４：カッタ
【図１】
2014166705.tif 000003
【図２】
2014166705.tif 000004
【図３】
2014166705.tif 000005